(57)【要約】【課題】小型化が可能で、可動部を有していないために長期間の実用が可能であり、しかも、フィルムの交換が比較的容易な投影機を提供する。【解決手段】筒状部材Ｔは、光源４０及び第１レンズ５０を保持する第１保持筒１０と、第１保持筒１０に連結されるとともにフィルム６０を保持するフィルム保持筒２０と、フィルム保持筒２０に連結されるとともに第２レンズ７０を保持する第２保持筒３０とを備えている。第１保持筒１０とフィルム保持筒２０との間の連結、及びフィルム保持筒２０と第２保持筒３０との間の連結を、螺合によって行うことにより、フィルム保持筒２０の着脱が容易なので、フィルム６０をフィルム保持筒２０ごと簡単に交換することができる。【選択図】図１
0003149612.tif 000002
【実用新案登録請求の範囲】
【請求項１】
筒状部材の内側に、前記筒状部材の軸心に沿った一方の端部となる基端側から他方の端部となる先端側にかけて順に前記軸心上に整列された光源と、第１レンズと、フィルムと、第２レンズとを備え、前記光源から発光されて、前記第１レンズ、前記フィルム、前記第２レンズを透過する光によって、投影対象物に画像を投影する投影機において、
前記筒状部材は、前記光源及び前記第１レンズを保持する第１保持筒と、前記第１保持筒に連結されるとともに前記フィルムを保持するフィルム保持筒と、前記フィルム保持筒に連結されるとともに前記第２レンズを保持する第２保持筒とを備え、
前記第１保持筒と前記フィルム保持筒との間の連結、及び前記フィルム保持筒と前記第２保持筒との間の連結を、螺合によって行うことにより、前記フィルム保持筒の着脱を容易とした、
ことを特徴とする投影機。
【請求項２】
前記フィルム保持筒が、前記第１保持筒及び前記第２保持筒に螺合される連結筒と、前記フィルムを保持するとともに前記連結筒の内側に螺合されるフィルム押さえとを有し、前記フィルム押さえごと交換することにより前記フィルムを交換する、
ことを特徴とする請求項１に記載の投影機。
【請求項３】
前記第２保持筒の先端側に取り付けられる着脱自在な映写方向変更部材を備え、
前記映写方向変更部材は、筒状に形成されて前記第２保持筒の先端側に螺合される着脱自在な交換部材本体と、前記交換部材本体の内側に前記軸心に対して４５度傾斜して配設されて前記第２レンズをからの画像の映写角度を９０度変更するミラーと、前記交換部材本体に穿設されて前記ミラーによって反射された画像の通過を許容する窓部とを有する、
ことを特徴とする請求項１又は２に記載の投影機。
【請求項４】
前記フィルムは、画像面から突出した突出部を有し、
前記フィルム押さえは、前記軸心方向の２つの端面のうちの、前記第１レンズに近い側の第１端面に、前記突出部が当接される当接部を有する円筒状のベース部材と、前記第１端面の形状に対応するリング状に形成されて前記第１端面の前記当接部との間に前記フィルムの突出部を挟持する挟持リングと、を有する、
ことを特徴とする請求項２又は３に記載の投影機。
【請求項５】
前記当接部は、前記突出部の形状に倣った凹部によって構成されている、
ことを特徴とする請求項４に記載の投影機。
【請求項６】
前記フィルムは、周方向に沿った長さが異なる少なくとも２つの前記突出部を有し、
前記当接部は、前記周方向に沿った長さが異なる少なくとも２つの前記突出部に対応した形状の少なくとも２つの前記凹部によって構成されている、
ことを特徴とする請求項５に記載の投影機。
【考案の詳細な説明】
【技術分野】
【０００１】
本考案は、片手で簡単に持ち運びすることができ、しかもフィルムの交換が容易な投影機に関する。
【背景技術】
【０００２】
片手で持ち運べる、いわゆるハンディタイプの投影機として、例えば、特許文献１のようなものが開示されている。このようなハンディタイプの投影機のうち、複数枚のフィルムが円板の周方向に沿って配設され、この円板を回転させることにより、所望のフィルムを、光源やレンズの光軸（軸心）上に配置して、映写対象物に映し出すものが知られている。このものは、フィルムの交換が極めて容易である。
【特許文献１】特開平６−１０５１９２号公報
【考案の開示】
【考案が解決しようとする課題】
【０００３】
上述のハンディタイプの投影機は、複数枚のフィルムを円板の周方向に沿って配設しているため、円板の直径が大きくなりがちで、その分、投影機全体が大型化されるという問題があった。また、円板を回転させるための可動部を有しているため、故障が起きやすいという問題もあった。したがって、ハンディタイプの投影機は、それほど頻繁ではないが、フィルムの交換が可能で、さらに小型化及び長期間の実用性を目指したような投影機には、不向きである。
【０００４】
そこで、本考案は、小型化が可能で、可動部を有していないために長期間の実用が可能であり、しかも、フィルムの交換が比較的容易な投影機を提供することを目的とするものである。
【課題を解決するための手段】
【０００５】
請求項１に係る考案は、筒状部材の内側に、前記筒状部材の軸心に沿った一方の端部となる基端側から他方の端部となる先端側にかけて順に前記軸心上に整列された光源と、第１レンズと、フィルムと、第２レンズとを備え、前記光源から発光されて、前記第１レンズ、前記フィルム、前記第２レンズを透過する光によって、投影対象物に画像を投影する投影機に関する。この考案に係る投影機は、前記筒状部材は、前記光源及び前記第１レンズを保持する第１保持筒と、前記第１保持筒に連結されるとともに前記フィルムを保持するフィルム保持筒と、前記フィルム保持筒に連結されるとともに前記第２レンズを保持する第２保持筒とを備え、前記第１保持筒と前記フィルム保持筒との間の連結、及び前記フィルム保持筒と前記第２保持筒との間の連結を、螺合によって行うことにより、前記フィルム保持筒の着脱を容易とした、ことを特徴とする。
【０００６】
請求項２に係る考案は、請求項１に係る投影機において、前記フィルム保持筒が、前記第１保持筒及び前記第２保持筒に螺合される連結筒と、前記フィルムを保持するとともに前記連結筒の内側に螺合されるフィルム押さえとを有し、前記フィルム押さえごと交換することにより前記フィルムを交換する、ことを特徴とする。
【０００７】
請求項３に係る考案は、請求項１又は２に係る投影機において、前記第２保持筒の先端側に取り付けられる着脱自在な映写方向変更部材を備え、前記映写方向変更部材は、筒状に形成されて前記第２保持筒の先端側に螺合される着脱自在な交換部材本体と、前記交換部材本体の内側に前記軸心に対して４５度傾斜して配設されて前記第２レンズをからの画像の映写角度を９０度変更するミラーと、前記交換部材本体に穿設されて前記ミラーによって反射された画像の通過を許容する窓部とを有する、ことを特徴とする。
【０００８】
請求項４に係る考案は、請求項２又は３に係る投影機において、前記フィルムは、画像面から突出した突出部を有し、前記フィルム押さえは、前記軸心方向の２つの端面のうちの、前記第１レンズに近い側の第１端面に、前記突出部が当接される当接部を有する円筒状のベース部材と、前記第１端面の形状に対応するリング状に形成されて前記第１端面の前記当接部との間に前記フィルムの突出部を挟持する挟持リングと、を有する、ことを特徴とする。
【０００９】
請求項５に係る考案は、請求項４に係る投影機において、前記当接部は、前記突出部の形状に倣った凹部によって構成されている、ことを特徴とする。
【００１０】
請求項６に係る考案は、請求項５に係る投影機において、前記フィルムは、周方向に沿った長さが異なる少なくとも２つの前記突出部を有し、前記当接部は、前記周方向に沿った長さが異なる少なくとも２つの前記突出部に対応した形状の少なくとも２つの前記凹部によって構成されている、ことを特徴とする。
【考案の効果】
【００１１】
請求項１の考案によれば、フィルムを保持するフィルム保持筒が、第１保持筒及び第２保持筒に対して螺合されているので、これらの螺合を解除することにより、フィルム保持筒を簡単に取り外すことができる。また、逆にこれらを螺合することで、フィルム保持筒を簡単に取り付けることができる。したがって、フィルムを、フィルム保持筒ごと簡単に交換することが可能である。
【００１２】
請求項２の考案によれば、フィルム保持筒が第１保持筒及び第２保持筒に対して螺合される連結筒と、この連結筒の内側に螺合されるフィルム押さえとを有しているので、連結筒に対するフィルム押さえの螺合を解除することにより、フィルム押さえを連結筒から取り外し、また、逆にフィルム押さえを連結筒に螺合させることにより連結筒にフィルム押さえを取り付けることができる。したがって、フィルムを、フィルム押さえごと簡単に交換することができる。
【００１３】
請求項３の考案によれば、映写方向変更部材を取り付けることにより、映写方向を軸心方向から、これに対して９０度の角度を持つ方向に変更することができる。また、映写方向変更部材は、これを構成する交換部材本体を第２保持筒に対して螺合することで取り付けることでき、また螺合を解除することで取り外しできるので、第２保持筒に簡単に着脱することができる。
【００１４】
請求項４の考案によれば、フィルム押さえのベース部材と挟持リングとの間にフィルムの突出部を挟み込むことで接着等を要することなく、フィルムを簡単に保持することができる。
【００１５】
請求項５の考案によれば、フィルムの突出部を凹部に嵌め込むことで、フィルム押さえに対して、フィルムの位置決めをすることができる。
【００１６】
請求項６の考案によれば、フィルム押さえによってフィルムを保持する際に、フィルムの上下方向を誤るおそれがない。
【考案を実施するための最良の形態】
【００１７】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００１８】
図１〜図７を参照して、本考案に係る投影機として、実施形態１に係る投影機１について説明する。このうち、図１は、投影機１をその軸心Ｃを含む平面で切ったときの断面を示す縦断面図である。図２は、第１保持筒１０とフィルム保持筒２０と第２保持筒３０とによって構成される筒状部材Ｔと、この筒状部材Ｔの先端に取り付けられた映写方向変更部材８０とを、軸心Ｃを含む平面で切ったときの断面を示す縦断面図である。図３は、投影機１の分解斜視図である。図４は、ベース部材２５を示す図であり、（ａ）は（ｂ）のＡ−Ａ線矢視図、（ｂ）は左側面図、（ｃ）は正面図である。図５は、挟持リング２６を示す図であり、（ａ）は正面図、（ｂ）は右側面図である。図６は、フィルム６０を示す左側面図である。図７は、ベース部材２５と挟持リング２６とフィルム６０とによって構成されるフィルム押さえＢを示す図であり、（ａ）は正面図、（ｂ）は縦断面図、（ｃ）は右側面図である。図８は、実施形態２の投影機２をその軸心Ｃを含む平面で切ったときの断面を示す縦断面である。
【００１９】
ここで、図１〜図３においては、左側が投影機１の基端側となり、右側が投影機１の先端側となるが、以下の説明では、基端側を適宜「左側」、先端側を適宜「右側」というものとする。
【００２０】
図１〜図３に示すように、投影機１は、左側（基端側）から順に、第１保持筒１０と、フィルム保持筒２０と、第２保持筒３０とを備えており、これらを連結することによって筒状部材Ｔを構成している。また、図１に示すように、筒状部材Ｔの内側には、中心となる軸心（光軸）Ｃ上に、左側から順に、光源４０、第１レンズ５０、フィルム６０、第２レンズ７０が配設されている。
【００２１】
図１，図３に示すように、第１保持筒１０は、円筒形状に形成されていて、内側における左端側には、光源４０が取り付けられ、また、同じく内側における右端側には、第１レンズ５０が取り付けられている。光源４０は、基板４１とＬＥＤ４２とを有していて、基板４１は、第１保持筒１０の内側凸部１１に左方から係合され、ＬＥＤ４２は、内側凸部１２に右方から係合されて取り付けられている。さらに、第１保持筒１０の左端は、キャップ４３によって閉蓋されている。キャップ４３には透孔４３ａが穿設されていて、基板４１には、透孔４３ａを貫通するリード線４２の先端が接続されており、リード線４２の基端側は、途中に設けられたＯＮ／ＯＦＦスイッチ（不図示）を介して電源としての電池（不図示）に接続されている。第１保持筒１０の右端の内側凹部１３には、第１レンズ５０が取り付けられている。第１レンズ５０は、凸レンズであり、外周縁の左側及び右側を環状のパッキン５１，５１に挟まれるようにして、内側凹部１３に係合されている。第１保持筒１０の右端側の外周面は小径に形成されていて、その小径部分１４における左側には雄ねじ１５が螺刻されている。この雄ねじ１５には、次に説明するフィルム保持筒２０の左端側が螺合される。
【００２２】
フィルム保持筒２０は、円筒状の連結筒Ａと、この連結筒Ａに右方から着脱自在に螺合されるフィルム押さえＢとによって構成されている。
【００２３】
連結筒Ａは、その外径が、上述の第１保持筒１０の左端側の大径部分１６の外径と同じに設定されている。連結筒Ａは、左端側の内側が、第１保持部１０の小径部分１４を覆うように配置されていて、左端近傍の内側に螺刻された雌ねじ２１が、第１保持筒１０の雄ねじ１５に螺合されている。連結筒Ａの内側の、左右方向の中央近傍には、内側凸部２２が形成されていて、この内側凸部２２は、上述の第１レンズ５０を挟持するパッキン５１を右方から押圧して、第１レンズ５０を固定している。連結筒Ａの内側の、内側凸部２２よりも少し右側には、雌ねじ２３が螺刻されている。この雌ねじ２３には、フィルム押さえＢの雄ねじ２５ａが螺合される。連結筒Ａの内側の、雌ねじ２３よりも右側に位置する部分は、雄ねじ２３よりも内径が大きく形成されていて、この部分には、雌ねじ２４が螺刻されている。この雌ねじ２４には、後述する第２保持筒３０の左端側が螺合される。
【００２４】
フィルム押さえＢは、図４に示すベース部材２５と、図５に示す挟持リング２６と図６に示すフィルム６０とを、図７に示すように組み合わせて構成されている。
ベース部材２５は、ほぼ円筒状に形成されていて、図４（ｃ）に示すように、左端側の大径部分に、雄ねじ２５ａが螺刻されている。ベース部材２５の左端面（第１端面）２５ｂには、周方向の長さが長い凹部２５ｃと、周方向の長さが短い凹部２５ｄとが形成されている。また、左端面２６には、図４（ａ），（ｂ）に示すように、これら凹部２５ｃ，２５ｄと同様に窪んだ環状の段部２５ｆが形成されている。
【００２５】
フィルム６０は、図６に示すように、画像が形成されている円形のフィルム本体６１と、このフィルム本体６１の外周縁６１ａから突出された２つの突出部６２ａ，６２ｂとによって形成されている。突出部６２ａは、ベース部材２５の凹部２５ｃに対応して周方向に沿った長さ（幅）が長く形成され、一方、突出部６２ｂは、ベース部材２５の凹部２５ｄに対応して周方向の長さ（幅）が短く形成されている。フィルム６０は、ベース部材２５に対して、突出部６２ａを凹部２５ｃに係合させ、突出部６２ｂを凹部２５ｄに係合させ、さらに周縁部６１ａを段部２５ｆに係合させて装着される。
【００２６】
図５に示す挟持リング２６は、その軸心Ｃを含む平面で切ったときの断面形状が長方形状に形成されている。図５（ａ），（ｂ）に示すように、挟持リング２６の右端面２６ａには、周方向の長さが長い凸部２６ｂと周方向の長さが短い凸部２６ｃとが形成されている。挟持リング２６は、その右端面２６ａが上述のベース部材２５の左端面２５ｂに係合され、この際、凸部２６ｂがベース部材２５側の凹部２５ｃに係合され、また、凸部２６ｃが凹部２５ｄに係合される。そして、このとき挟持リング２６の凸部２６ｂ，２６ｃは、それぞれベース部材２５側の凹部２５ｃ，２５ｄとの間で、フィルム６０の突出部６２ａ，６２ｂを挟持して保持する。なお、本実施形態においては、フィルム６０を交換する際に、フィルム押さえＢ全体、すなわちベース部材２５と挟持リング２６とフィルム６０とを一体として交換するようにしている。
【００２７】
上述構成のフィルム押さえＢは、図１に示すように、ベース部材２５の雄ねじ２５ａを、連結筒Ａの内側の雌ねじ２３に螺合させている。この際、図５（ｂ）に示す挟持リング２６の左端面２６ａが連結筒Ｂの内側凸部２２に右方から当接される。
【００２８】
図１に示すように、第２保持筒３０は、円筒状に形成されていて、その外周面全体には、雄ねじ３１が螺刻されている。この雄ねじ３１における左端側は、上述の連結筒Ａの雌ねじ２４に螺合される。第２保持筒３０は、雌ねじ２４に螺合された後、雄ねじ３１に螺合されているロックナット３２を締めることで連結筒Ａに対して固定される。第２保持筒３０の内側における左端側には、リング溝３３が全周にわたって形成されていて、このリング溝には、フィルム押さえＢとの間にＯリング（不図示）が介装されていて防水使用となっている。第２保持筒３０の内側における左右方向のほぼ中央には、内側凸部３４が形成されていて、この内側凸部３４に対して、右方から第２レンズ７０が取り付けられる。第２レンズ７０は凸レンズであり、その外周縁の左側及び右側を環状のパッキン７１，７１に挟まれるようにして、第２保持筒３０の内側でかつ内側凹部３４に係合されている。さらに第２レンズ７０は、右側のパッキン７１が、第２保持筒３０の内側に右方から係合された円筒状のレンズ押さえ７２によって左方に押圧されることで固定される。このレンズ押さえ７２は、映写方向変更部材８０によって左方に押圧される。
【００２９】
映写方向変更部材８０は、交換部材本体８１と、ミラー８２と、交換部材本体８１に穿設された窓部８３とによって構成されている。
【００３０】
交換部材本体８１は、内側における左端側に雌ねじ８４が螺刻されていて、この雌ねじ８４が、上述の第２保持筒３０の外周面の雄ねじ３１に螺合することで、第２保持筒３０に取り付けられる。さらに、第２保持筒３０は、螺合された状態で、雌ねじ３１に螺合されているロックナット８５を締めることで固定される。
【００３１】
ミラー８２は、交換部材本体８１の内側に、軸心（光軸）Ｃに対して４５度の角度で傾斜された状態で、固定されている。
【００３２】
窓部８３は、ミラー８２によって反射された画像を透過させるものである。
【００３３】
映写方向変更部材８０全体は、画像の映写方向を、軸心Ｃに対して９０度の角度をもって変更する。映写方向変更部材８０は、また、ロックナット８５を緩めた状態では、軸心Ｃを中心に回転させて、任意の角度に配置することができるので、映写方向を軸心Ｃの周囲３６０度の任意の角度に設定することが可能である。
【００３４】
上述構成の投影機１は、光源４０のスイッチをＯＮすることにより、ＬＥＤ４０が点灯し、ＬＥＤ４０から発光された光が第１レンズ５０、フィルム６０、第２レンズ７０を透過して画像を形成し、さらに、この画像が映写方向変更部材８０のミラー８２で反射して窓部８３を通過することにより、映写対象物に画像を映し出すことができる。
【００３５】
ここで映写対象物としては、自動車の車内の天井や足下のマット上、ドアの外面等が挙げられ、また、バイクのガソリンタンクや、スクーターの前面が挙げられる。さらに、商店の壁面や、クリスマス時の家庭の家屋の壁面等が挙げられる。また、フィルム６０の内容としては、例えば、実用に供する「非常口」「階段」や、趣向性の強いデザインものなどが挙げられる。なお、投影機１は、例えば、棒状のステイの先端に固定された環状の保持部材によって、第１保持筒１０の外周面１６を固定しのち、ステイの基端側を所望の箇所に取り付けることによって、配置することができる。さらに、手で持って使用することも可能である。
【００３６】
なお、上述構成の投影機１では、Ｏリングやパッキン５１，７１を使用することで、少なくともだ１レンズ５０と第２レンズ７０との間の、フィルム６０が収納されている部分は、生活防水が実現されている。
【００３７】
なお、上述の映写方向変更部材８０に代えて、図３に示すリング部材９０を第２保持筒３０に螺合させて固定するようにしてもよい。この場合には、軸心Ｃの延長方向が映写方向となり、画像はこの方向に映写されることになる。
【００３８】
上述構成の投影機１は、第２保持筒３０に螺合されているロックナット３２を緩めた状態で、フィルム保持筒２０の連結筒Ａに対する第２保持筒３０の螺合を解除して取り外し、さらに、連結筒Ａに対するフィルム押さえＢの螺合を解除することで、フィルム押さえＢを簡単に取り外すことができる。また、フィルム押さえＢを取り付けるには上述と逆の手順で取り付けることができる。つまり、いずれも螺合によって連結されているので、フィルム押さえＢを簡単に着脱することができる。したがって、フィルム押さえＢの一部を構成するフィルム６０をフィルム押さえＢごと、簡単に交換することができる。
＜実施形態２＞
【００３９】
図８を参照して、実施形態２に係る投影機２について説明する。同図は、投影機２をその軸心Ｃを含む平面で切ったときの断面を示す縦断面図である。
【００４０】
上述の実施形態１では、フィルム６０を交換する際に、連結筒Ａとともにフィルム保持筒２０を構成するフィルム押さえＢのみを交換するようにしている。これに対して、実施形態２に係る投影機２では、フィルム６０の交換を、フィルム保持筒２０Ａ全体を交換することで実現している。すなわち、図８に示すように、フィルム保持筒２０Ａを円筒状の連結筒Ａ１と円筒状のフィルム押さえＢ１とによって構成する。連結筒Ａ１の内側に雌ねじ２０ａを螺刻し、この雌ねじ２０ａの左端に内側凸部２０ｂを形成する。一方、円筒状のフィルム押さえＢ１の外周面における左端側に雄ねじａを螺刻して、この雄ねじａを、連結筒Ａ１側の雌ねじ２０ａに螺合する。そして、このとき、フィルム押さえＢ１の左端面ｂと連結筒Ａ１側の内側凸部２０ｂとの間でフィルム６０の周端縁を挟み込んで挟持する。
【００４１】
本実施形態によると、フィルム６０を交換する際に、フィルム保持筒２０Ａごと交換するので、上述の実施形態１と比較して、連結筒Ａ１に対してフィルム押さえＢ１を着脱する作業を省略することができるので、その分、フィルム６０の交換作業を簡略化することができる。
【図面の簡単な説明】
【００４２】
【図１】図１〜図７は、実施形態１の投影機１を説明する図であり、図１は、投影機１をその軸心Ｃを含む平面で切ったときの断面を示す縦断面図である。
【図２】第１保持筒１０とフィルム保持筒２０と第２保持筒３０とによって構成される筒状部材Ｔと、この筒状部材Ｔの先端に取り付けられた映写方向変更部材８０とを、軸心Ｃを含む平面で切ったときの断面を示す縦断面図である。
【図３】投影機１の分解斜視図である。
【図４】ベース部材２５を示す図であり、（ａ）は（ｂ）のＡ−Ａ線矢視図、（ｂ）は左側面図、（ｃ）は正面図である。
【図５】挟持リング２６を示す図であり、（ａ）は正面図、（ｂ）は右側面図である。
【図６】フィルム６０を示す左側面図である。
【図７】ベース部材２５と挟持リング２６とフィルム６０とによって構成されるフィルム押さえＢを示す図であり、（ａ）は正面図、（ｂ）は縦断面図、（ｃ）は右側面図である。
【図８】実施形態２の投影機２をその軸心Ｃを含む平面で切ったときの断面を示す縦断面図である。
【符号の説明】
【００４３】
１          実施形態１の投影機
２          実施形態２の投影機
１０        第１保持筒
２０        フィルム保持筒
２５        ベース部材
２５ｂ      （ベース部材２５の）左端面（第１端面）
２５ｃ，２５ｄ
（ベース部材２５の）凹部
２６        挟持リング
３０        第２保持筒
４０        光源
５０        第１レンズ
６０        フィルム
６２ａ，６２ｂ
（フィルム６０の）突出部
７０        第２保持筒
８０        映写方向変更部材
８１        交換部材本体
８２        ミラー
８３        窓部
Ａ          連結筒
Ｂ          フィルム押さえ
Ｃ          軸心（光軸）
【図１】
0003149612.tif 000003
【図２】
0003149612.tif 000004
【図３】
0003149612.tif 000005
【図４】
0003149612.tif 000006
【図５】
0003149612.tif 000007
【図６】
0003149612.tif 000008
【図７】
0003149612.tif 000009
【図８】
0003149612.tif 000010